(57)【要約】【課題】  装置コストを低減することができる伝送システム及び伝送方法を提供する。【解決手段】  伝送システムは、各隣接ノード間が、第１波長帯の光に適合する第１の種類の光ファイバ、または、第２波長帯の光に適合する第２の種類の光ファイバにより接続された複数のノードを有し、複数のノードは、送信ノードと、受信ノード、及び中継ノードとを含み、波長多重光信号の中継経路上で最も上流側の第２の種類の光ファイバにより下流側の隣接ノードと接続された第１ノードは、波長多重光信号の波長帯を第１波長帯から第２波長帯に変換する第１波長変換部を有し、波長多重光信号の中継経路上で最も下流側の第２の種類の前記光ファイバにより上流側の隣接ノードと接続された第２ノードは、波長多重光信号の波長帯を第２波長帯から第１波長帯に変換する第２波長変換部を有する。【選択図】図４
2019075654.tif 000002
【特許請求の範囲】
【請求項１】
各隣接ノード間が、第１波長帯の光に適合する第１の種類の光ファイバ、または、第２波長帯の光に適合する第２の種類の光ファイバにより接続された複数のノードを有し、
前記複数のノードは、複数の光信号を波長多重することにより前記第１波長帯の波長多重光信号を生成して送信する送信ノードと、前記波長多重光信号から前記複数の光信号を分離して受信する受信ノードと、前記送信ノードから前記第１の種類または前記第２の種類の光ファイバを介して前記受信ノードまで前記波長多重光信号を中継する１以上の中継ノードとを含み、
前記複数のノードのうち、前記波長多重光信号の中継経路上で最も上流側の前記第２の種類の前記光ファイバにより下流側の隣接ノードと接続された第１ノードは、前記波長多重光信号の波長帯を前記第１波長帯から第２波長帯に変換する第１波長変換部を有し、
前記複数のノードのうち、前記波長多重光信号の中継経路上で最も下流側の前記第２の種類の前記光ファイバにより上流側の隣接ノードと接続された第２ノードは、前記波長多重光信号の波長帯を前記第２波長帯から前記第１波長帯に変換する第２波長変換部を有することを特徴とする伝送システム。
【請求項２】
前記第１ノード及び前記第２ノードは、それぞれ、前記１以上の中継ノードであることを特徴とする請求項１に記載の伝送システム。
【請求項３】
前記第１ノードは、前記送信ノードであり、
前記第２ノードは、前記１以上の中継ノードの１つであることを特徴とする請求項１に記載の伝送システム。
【請求項４】
前記第１ノードは、前記１以上の中継ノードの１つであり、
前記第２ノードは、前記受信ノードであることを特徴とする請求項１に記載の伝送システム。
【請求項５】
前記第１ノードは、前記送信ノードであり、
前記第２ノードは、前記受信ノードであることを特徴とする請求項１に記載の伝送システム。
【請求項６】
前記第１ノードは、前記第１波長帯の前記波長多重光信号に前記第１波長帯の他の波長多重光信号を波長多重する第１の波長選択スイッチを有し、
前記第１波長変換部及び前記第２波長変換部は、前記他の波長多重光信号が波長多重された前記波長多重光信号の波長帯を変換し、
前記第２ノードは、前記波長多重光信号から前記他の波長多重光信号を分離する第１波長分離部を有することを特徴とする請求項５に記載の伝送システム。
【請求項７】
前記第１ノードは、前記第１波長変換部により波長帯が変換された前記波長多重光信号に、前記第２波長帯の他の波長多重光信号を波長多重する第２の波長選択スイッチを有し、
前記第２ノードは、前記波長多重光信号から前記他の波長多重光信号を分離する第２波長分離部を有し、
前記第２波長変換部は、前記他の波長多重光信号が分離された前記波長多重光信号の波長帯を変換することを特徴とする請求項５に記載の伝送システム。
【請求項８】
前記第１の種類の光ファイバは、前記第１波長帯の光及び前記第２波長帯の光に適合し、
前記波長多重光信号の経路上、前記第１ノードと前記第２ノードの間には、前記第１の種類の光ファイバにより接続され、互いに隣接する一組の中継ノードが存在することを特徴とする請求項２乃至７の何れかに記載の伝送システム。
【請求項９】
前記第１ノード及び前記第２ノードは、それぞれ、前記第１波長帯の前記波長多重光信号を増幅する第１増幅部と、前記第２波長帯の前記波長多重光信号を増幅する第２増幅部とを有することを特徴とする請求項１乃至８の何れかに記載の伝送システム。
【請求項１０】
各隣接ノード間が、第１波長帯の光に適合する第１の種類の光ファイバ、または、第２波長帯の光に適合する第２の種類の光ファイバにより接続された複数のノードを用い、
前記複数のノードは、複数の光信号を波長多重することにより前記第１波長帯の波長多重光信号を生成して送信する送信ノードと、前記波長多重光信号から前記複数の光信号を分離して受信する受信ノードと、前記送信ノードから前記第１の種類または前記第２の種類の光ファイバを介して前記受信ノードまで前記波長多重光信号を中継する１以上の中継ノードとを含み、
前記複数のノードのうち、前記波長多重光信号の中継経路上で最も上流側の前記第２の種類の前記光ファイバにより下流側の隣接ノードと接続された第１ノードは、前記波長多重光信号の波長帯を前記第１波長帯から第２波長帯に変換し、
前記複数のノードのうち、前記波長多重光信号の中継経路上で最も下流側の前記第２の種類の前記光ファイバにより上流側の隣接ノードと接続された第２ノードは、前記波長多重光信号の波長帯を前記第２波長帯から前記第１波長帯に変換することを特徴とする伝送方法。
【発明の詳細な説明】
【技術分野】
【０００１】
本件は、伝送システム及び伝送方法に関する。
【背景技術】
【０００２】
光信号を伝送する光ファイバとして、例えばシングルモードファイバ（SMF: Single Mode Fiber）と分散シフトファイバ（DSF: Dispersion Shifted Fiber）が挙げられる。例えば日本国内では、伝送路がＳＭＦだけで構成されるとは限らず、一部にＤＳＦを含むことが有り得る。
【０００３】
ＤＳＦは波長分散がゼロとなるように設計されているが、Ｃバンド（１．５５（ｎｍ）帯）の波長多重光信号をＤＳＦに伝送すると、非線形光学効果により信号歪みが生じて信号品質が劣化する。これに対し、ＳＭＦは、Ｃバンド及びＬバンド（１．５９（ｎｍ）帯）の何れの波長多重光信号でも、非線形光学効果の影響は小さい。Ｃバンド及びＬバンドに関し、例えば特許文献１には、波長多重光信号の波長帯をＣバンドとＬバンドの間で変換する点が記載されている。
【先行技術文献】
【特許文献】
【０００４】
【特許文献１】特開２００１−２７４７５０号公報
【発明の概要】
【発明が解決しようとする課題】
【０００５】
例えば波長多重光信号の伝送路の途中の区間だけがＤＳＦであり、他区間がＳＭＦである場合、ＤＳＦに入力される波長多重光信号のパワーを光減衰器などにより十分に減衰させれば非線形光学は抑制される。しかし、波長多重光信号の受信に必要なパワーが不足するため、伝送が不可能となるか、伝送距離が延びないおそれがある。このため、上記のような伝送路においては、各ノードにＬバンド対応の光伝送機器が設けられ、Ｌバンドの波長多重光信号が伝送される。
【０００６】
また、例えば、波長多重光信号の伝送路が途中でＳＭＦからＤＳＦに切り替わる場合、波長多重光信号の波長帯をＣバンドからＬバンドに変換することにより信号品質の劣化が抑制される。この場合、ＤＳＦの区間では各ノードにＬバンド対応の光伝送機器が設けられ、Ｌバンドの波長多重光信号が伝送される。
【０００７】
しかし、Ｌバンド対応の光伝送機器は、Ｃバンド対応の光伝送機器と比べると市場規模が小さいため、高価である。とりわけ、波長多重光信号に波長多重される光信号を送受信するトランスポンダは通信回線ごとに設けられるため、伝送システム全体の構成の比率が大きい。したがって、例えばＬバンド対応のトランスポンダの数が増えると、伝送システム全体の装置コストが増加する。
【０００８】
そこで本件は、装置コストを低減することができる伝送システム及び伝送方法を提供することを目的とする。
【課題を解決するための手段】
【０００９】
１つの態様では、伝送システムは、各隣接ノード間が、第１波長帯の光に適合する第１の種類の光ファイバ、または、第２波長帯の光に適合する第２の種類の光ファイバにより接続された複数のノードを有し、前記複数のノードは、複数の光信号を波長多重することにより前記第１波長帯の波長多重光信号を生成して送信する送信ノードと、前記波長多重光信号から前記複数の光信号を分離して受信する受信ノードと、前記送信ノードから前記第１の種類または前記第２の種類の光ファイバを介して前記受信ノードまで前記波長多重光信号を中継する１以上の中継ノードとを含み、前記複数のノードのうち、前記波長多重光信号の中継経路上で最も上流側の前記第２の種類の前記光ファイバにより下流側の隣接ノードと接続された第１ノードは、前記波長多重光信号の波長帯を前記第１波長帯から第２波長帯に変換する第１波長変換部を有し、前記複数のノードのうち、前記波長多重光信号の中継経路上で最も下流側の前記第２の種類の前記光ファイバにより上流側の隣接ノードと接続された第２ノードは、前記波長多重光信号の波長帯を前記第２波長帯から前記第１波長帯に変換する第２波長変換部を有する。
【００１０】
１つの態様では、伝送方法は、各隣接ノード間が、第１波長帯の光に適合する第１の種類の光ファイバ、または、第２波長帯の光に適合する第２の種類の光ファイバにより接続された複数のノードを用い、前記複数のノードは、複数の光信号を波長多重することにより前記第１波長帯の波長多重光信号を生成して送信する送信ノードと、前記波長多重光信号から前記複数の光信号を分離して受信する受信ノードと、前記送信ノードから前記第１の種類または前記第２の種類の光ファイバを介して前記受信ノードまで前記波長多重光信号を中継する１以上の中継ノードとを含み、前記複数のノードのうち、前記波長多重光信号の中継経路上で最も上流側の前記第２の種類の前記光ファイバにより下流側の隣接ノードと接続された第１ノードは、前記波長多重光信号の波長帯を前記第１波長帯から第２波長帯に変換し、前記複数のノードのうち、前記波長多重光信号の中継経路上で最も下流側の前記第２の種類の前記光ファイバにより上流側の隣接ノードと接続された第２ノードは、前記波長多重光信号の波長帯を前記第２波長帯から前記第１波長帯に変換する。
【発明の効果】
【００１１】
１つの側面として、装置コストを低減することができる。
【図面の簡単な説明】
【００１２】
【図１】第１比較例の伝送システムを示す構成図である。
【図２】第２比較例の伝送システムを示す構成図である。
【図３】第３比較例の伝送システムを示す構成図である。
【図４】第１実施例の伝送システムを示す構成図である。
【図５】インライン増幅器の一例を示す構成図である。
【図６】波長多重光信号の管理情報の変換の一例を示す図である。
【図７】第２実施例の伝送システムを示す構成図である。
【図８】第３実施例の伝送システムを示す構成図である。
【図９】第４実施例の伝送システムを示す構成図である。
【図１０】多重分離装置の一例を示す構成図である。
【図１１】第５実施例の伝送システムを示す構成図である。
【図１２】光クロスコネクト装置の一例を示す構成図である。
【図１３】第６実施例の伝送システムを示す構成図である。
【図１４】第７実施例の伝送システムを示す構成図である。
【図１５】光クロスコネクト装置の他の例を示す構成図である。
【図１６】第８実施例の伝送システムを示す構成図である。
【図１７】第９実施例の伝送システムを示す構成図である（その１）。
【図１８】第９実施例の伝送システムを示す構成図である（その２）。
【図１９】光クロスコネクト装置の他の例を示す構成図である。
【発明を実施するための形態】
【００１３】
（第１比較例）
図１は、第１比較例の伝送システムを示す構成図である。伝送システムは、一例として、直列に接続されたノードＡ〜Ｆを含む。本例では、波長多重光信号Ｓａ，Ｓｂの伝送路の途中の区間だけがＤＳＦ９１であり、他区間がＳＭＦ９０である場合を挙げる。互いに隣接するノードＡ〜Ｃ間及びノードＤ〜Ｆ間は一対のＳＭＦ９０により接続され、互いに隣接するノードＣ，Ｄ間は一対のＤＳＦ９１により接続されている。
【００１４】
このように、伝送システムのノードＡ〜Ｆは、各隣接ノード間がＳＭＦ９０またはＤＳＦ９１により接続されている。ＳＭＦ９０は第１の種類の光ファイバの一例であり、ＤＳＦ９１は第２の種類の光ファイバの一例である。なお、以降の図面において、ＳＭＦ９０は実線で示し、ＤＳＦ９１は点線で示す。
【００１５】
端部のノードＡ，Ｆには、光多重分離装置（ＭＵＸ）１が設けられ、他のノードＢ〜Ｅには、インライン増幅器（ＩＬＡ）２，２ａが設けられている。ノードＡの多重分離装置１は、ノードＢ〜Ｅを介してノードＦの多重分離装置１にＣバンドの波長多重光信号Ｓａを送信し、ノードＦの多重分離装置１は、ノードＢ〜Ｅを介してノードＡの多重分離装置１にＣバンドの波長多重光信号Ｓｂを送信する。
【００１６】
多重分離装置１は、Ｃバンドにそれぞれ対応する複数のトランスポンダ（Ｃ−ＴＰ）１０、多重分離部１１、及び増幅部（Ｃ−ＡＭＰ）１２を有する。複数のトランスポンダ１０は、波長が相違する光信号を送受信する。トランスポンダ１０は、光信号を生成するレーザダイオード、光を変調する光変調器、及び光信号を電気信号に変換するフォトディテクタなどから構成される。
【００１７】
多重分離部１１は、各トランスポンダ１０から送信された光信号を波長多重することにより波長多重光信号Ｓａ，Ｓｂを生成して増幅部１２に出力する。また、多重分離部１１は、増幅部１２から入力された波長多重光信号Ｓａ，Ｓｂを波長ごとの光信号に分離してトランスポンダ１０に出力する。多重分離部１１は、例えばＡＷＧ（Arrayed Waveguide Grating）などから構成される。
【００１８】
増幅部１２は、ＳＭＦ９０から入力された波長多重光信号Ｓａ，Ｓｂを増幅して多重分離部１１に出力する。また、増幅部１２は、多重分離部１１から入力された波長多重光信号Ｓａ，Ｓｂを増幅してＳＭＦ９０に出力する。増幅部１２は、例えばＥＤＦＡ（Erbium Doped optical Fiber Amplifier）などから構成される。
【００１９】
このように、ノードＡ，Ｆは、送信ノードの一例として、複数の光信号を波長多重することによりＣバンドの波長多重光信号Ｓａ，Ｓｂをそれぞれ生成して送信する。また。ノードＡ，Ｆは、受信ノードの一例として、波長多重光信号Ｓｂ，Ｓａから複数の光信号をそれぞれ分離して受信する。波長多重光信号Ｓａは、一対のＳＭＦ９０の一方と一対のＤＳＦ９１の一方を伝送し、波長多重光信号Ｓｂは、一対のＳＭＦ９０の他方と一対のＤＳＦ９１の他方を伝送する。
【００２０】
他のノードＢ〜Ｅは、中継ノードの一例として、送信ノードＡ，ＦからＳＭＦ９０またはＤＳＦ９１を介して受信ノードＦ，Ａまで波長多重光信号Ｓａ，Ｓｂを中継する。ノードＢ〜Ｅのインライン増幅器２，２ａは、Ｃバンドに対応する増幅部（Ｃ−ＡＭＰ）２０により波長多重光信号Ｓａ，Ｓｂを増幅する。増幅部１２は、例えばＥＤＦＡなどから構成される。
【００２１】
ＳＭＦ９０はＣバンド及びＬバンドの光に適合し、ＤＳＦ９１はＬバンドの光に適合する。つまり、ＳＭＦ９０は、その伝送特性において、Ｃバンド及びＬバンドの正常な光伝送が可能であり、ＤＳＦ９１は、その伝送特性において、Ｌバンドの正常な光伝送が可能である。逆に言えば、ＤＳＦ９１は、後述するように、Ｃバンドの光に適合せず、正常な光伝送が不可能である。ここで、Ｃバンドは、第１波長帯の一例であり、１５２８〜１５６３（ｎｍ）の波長帯を指し、Ｌバンドは、第２波長帯の一例であり、１５７０〜１６０７（ｎｍ）の波長帯を指す。
【００２２】
波長多重光信号Ｓａ，ＳｂはＣバンドの光であるため、ＳＭＦ９０の区間では正常に伝送されるが、ＤＳＦ９１の区間では非線形光学効果により信号歪みが生じて信号品質が劣化する。このため、ＤＳＦ９１により接続されたノードＣ，Ｄでは、インライン増幅器２ａに光減衰器（ＡＴＴ）２１が設けられている。
【００２３】
光減衰器２１は、ＤＳＦ９１に入力される波長多重光信号Ｓａ，Ｓｂを減衰させるため、非線形光学効果は抑制される。しかし、その減衰により、波長多重光信号Ｓａ，Ｓｂの受信に必要なパワーが不足するため、伝送が不可能となるか、伝送距離が延びないおそれがある。
【００２４】
符号Ｇ１は、ノードＡからノードＦに伝送される波長多重光信号Ｓａの位置に応じたパワー（ｄＢｍ）の変化の一例を示す。波長多重光信号Ｓａのパワーは、各増幅部２０により増加し、ＳＭＦ９０及びＤＳＦ９１を通過するたびに減少する。
【００２５】
ノードＣのインライン増幅器２ａは、光減衰器２１により波長多重光信号Ｓａを減衰させるため、そのパワーは光減衰器２１の通過後に減少する（符号Ｄａ参照）。このため、ノードＤのインライン増幅器２に入力される波長多重光信号ＳａのパワーＰｂ（符号Ｄｂ参照）は、ノードＢ，Ｃに入力されるときのパワーＰａより小さく、ノードＤの増幅部２０により十分に増幅されないおそれがある（点線参照）。なお、これは、反対方向の波長多重光信号Ｓｂについても同様である。
【００２６】
このように、波長多重光信号Ｓａ，Ｓｂの伝送路の途中の区間だけがＤＳＦ９１であり、他区間がＳＭＦ９０である場合、伝送が不可能となるか、伝送距離が延びないおそれがある。このため、各ノードにＬバンド対応の光伝送機器が設けられ、Ｌバンドの波長多重光信号が伝送される。
【００２７】
（第２比較例）
図２は、第２比較例の伝送システムを示す構成図である。図２において、図１と共通する構成には同一の符号を付し、その説明は省略する。
【００２８】
本例の伝送システムはノードＡ〜Ｆを有し、伝送路を構成するＳＭＦ９０及びＤＳＦ９１の配置は第１比較例と同様である。また、ノードＡ〜ＦにはＬバンドに対応する光伝送機器が設けられている。
【００２９】
ノードＡ，Ｆの多重分離装置３は、Ｃバンドにそれぞれ対応する複数のトランスポンダ（Ｌ−ＴＰ）３０、多重分離部３１、及び増幅部３２を有する。トランスポンダ３０、多重分離部３１、及び増幅部３２の機能は、対応する波長帯を除くと、上記のトランスポンダ１０、多重分離部１１、及び増幅部１２とそれぞれ同様である。
【００３０】
また、ノードＢ〜Ｅのインライン増幅器４は、Ｌバンドに対応する増幅部（Ｌ−ＡＭＰ）４０により波長多重光信号Ｓａ，Ｓｂを増幅する。増幅部４０の機能は、対応する波長帯を除くと、上記の増幅部２０と同様である。
【００３１】
波長多重光信号Ｓａ，Ｓｂの波長帯はＬバンドであり、ＳＭＦ９０及びＤＳＦ９１は、その伝送特性においてＬバンドの光に適合する。このため、波長多重光信号Ｓａ，ＳｂはノードＡ，Ｆの間で正常に伝送される。
【００３２】
（第３比較例）
図３は、第３比較例の伝送システムを示す構成図である。図３において、図１及び図２と共通する構成には同一の符号を付し、その説明は省略する。
【００３３】
伝送システムは、一例として、直列的に接続されたノードＡ〜Ｇを含む。本例では、波長多重光信号Ｓａ，Ｓｂの伝送路が途中でＳＭＦ９０からＤＳＦ９１に切り替わる場合を挙げる。互いに隣接するノードＡ〜Ｄ間は一対のＳＭＦ９０により接続され、互いに隣接するノードＤ〜Ｇ間は一対のＤＳＦ９１により接続されている。
【００３４】
ノードＡ，Ｇは、送信ノード及び受信ノードであり、多重分離装置１，３が設けられている。他のノードＢ〜Ｆには、中継ノードであり、インライン増幅器２，４，５が設けられている。
【００３５】
ＳＭＦ９０及びＤＳＦ９１の区間の境界にあるノードＤのインライン増幅器５には、波長多重光信号Ｓａ，Ｓｂの波長帯を変換する機能が備えられている。インライン増幅器５は、波長帯を変換する波長変換器５０と、Ｃバンドに対応する増幅部５１と、Ｌバンドに対応する増幅部５２とを有する。
【００３６】
増幅部５１は、ノードＣからＳＭＦ９０を介して入力されたＣバンドの波長多重光信号Ｓａを増幅して波長変換器５０に出力する。また、増幅部５１は、波長変換器５０から入力されたＣバンドの波長多重光信号Ｓｂを増幅して、ＳＭＦ９０を介しノードＣに出力する。
【００３７】
増幅部５２は、ノードＥからＤＳＦ９１を介して入力されたＬバンドの波長多重光信号Ｓｂを増幅して波長変換器５０に出力する。また、増幅部５２は、波長変換器５０から入力されたＬバンドの波長多重光信号Ｓａを増幅して、ＤＳＦ９１を介しノードＥに出力する。
【００３８】
波長変換器５０は、増幅部５１から入力された波長多重光信号Ｓａの波長帯をＣバンドからＬバンドに変換して増幅部５２に出力する。また、波長変換器５０は、増幅部５２から入力された波長多重光信号Ｓｂの波長帯をＬバンドからＣバンドに変換して増幅部５１に出力する。波長変換器５０としては、例えば、特開２０００−７５３３０号公報に記載されたものを用いることができる。
【００３９】
図３には、波長帯をＬバンドからＣバンド、またはＣバンドからＬバンドに変換するための構成が示されている。波長変換器５０は、ＷＤＭ（Wavelength Division Multiplexing）カプラ５００と、励起光源５０１と、光サーキュレータ５０３と、偏波ビームスプリッタ５０４と、高非線形ファイバ（HNLF: Highly Non-Linear Fiber）５０５と、バンドパスフィルタ（BPF: Band Pass Filter）５０６とを有する。
【００４０】
波長多重光信号Ｓａ，Ｓｂは、ＷＤＭカプラ５００により、励起光源５０１からの励起光と合波される。励起光源５０１は、例えばレーザダイオードであり、ポンプ光源として機能する。励起光の波長は、単一であり、例えば１５６７（ｎｍ）である。
【００４１】
励起光と波長多重光信号Ｓａ，Ｓｂの合波光は、光サーキュレータ５０３から偏波ビームスプリッタ５０４に入力される。偏波ビームスプリッタ５０４には、高非線形ファイバ５０５の両端が接続されている。合波光は偏波ビームスプリッタ５０４によりＴＥ偏波及びＴＭ偏波に分離され、ＴＥ偏波及びＴＭ偏波は高非線形ファイバ５０５の別々の一端に入力されて他の一端から再び偏波ビームスプリッタ５０４に入力される。
【００４２】
高非線形ファイバ５０５は２つの主軸を有する。偏波ビームスプリッタ５０４のＴＥ偏波の出力ポートは、高非線形ファイバ５０５の一端で１つの主軸に合う角度で接続されている。偏波ビームスプリッタ５０４のＴＭ偏波の出力ポートは、高非線形ファイバ５０５の他端で同じ主軸に合う角度で接続されている。
【００４３】
高非線形ファイバ５０５は、光ファイバの材料と構造を最適化することにより、通常の光ファイバより四波混合（FWM: Four-Wave Mixing）効果が高く、短い長さでも高い波長変換効率を得ることが可能である。広帯域の波長変換を実現するため、高非線形ファイバ５０５のゼロ分散波長は励起光の波長に一致することが望ましい。これにより、波長多重光信号Ｓａ，Ｓｂの変換後の波長帯（ＣバンドまたはＬバンド）の光が生成される。
【００４４】
偏波ビームスプリッタ５０４は、高非線形ファイバ５０５から戻ったＴＥ偏波及びＴＭ偏波を偏波合成して光サーキュレータ５０３に出力する。光サーキュレータ５０３は、ＴＥ偏波及びＴＭ偏波の合成光をバンドパスフィルタ５０６に出力する。
【００４５】
バンドパスフィルタ５０６は、適切な透過帯域を有し、変換前の波長帯の波長多重光信号Ｓａ，Ｓｂと励起光を合成光から除去する。これにより、波長帯が変換された波長多重光信号Ｓａ，Ｓｂがバンドパスフィルタ５０６から出力される。なお、波長変換の手段としては、上記に限定されず、Ｃバンド及びＬバンドの一方の波長帯の光を電気信号にいったん変換して、さらに他方の波長帯の光に変換する再生中継トランスポンダを用いることもできる。
【００４６】
このように、ノードＤのインライン増幅器５は、波長変換器５０により波長多重光信号Ｓａ，ＳｂをＣバンドからＬバンド、またはＬバンドからＣバンドに変換する。このため、波長多重光信号Ｓａ，Ｓｂの波長帯は、ＳＭＦ９０の区間においてＣバンドとなり、ＤＳＦ９１の区間ではＬバンドとなる。したがって、波長多重光信号Ｓａ，Ｓｂは、信号劣化が抑制されてノードＡ，Ｇの間で正常に伝送される。
【００４７】
しかし、本例では、ノードＧにおいて、Ｌバンドに対応する複数のトランスポンダ３０が必要となる。また、第２比較例では、ノードＡ，Ｆにおいて、Ｌバンドに対応する複数のトランスポンダ３０が必要となる。このため、トランスポンダ３０の数が増えると、伝送システム全体の装置コストが増加する。
【００４８】
そこで、以下の各実施例では、波長多重光信号Ｓａ，Ｓｂの波長帯を変換する機能が、ＤＳＦ９１の区間の上流側及び下流側の各ノードに設けられることにより、送信ノード及び受信ノードがＣバンドの波長多重光信号Ｓａ，Ｓｂを受信可能となる。これにより、伝送システム全体の装置コストが低減される。
【００４９】
（第１実施例）
図４は、第１実施例の伝送システムを示す構成図である。図４において、図３と共通する構成には同一の符号を付し、その説明は省略する。
【００５０】
伝送システムは、一例として、直列に接続されたノードＡ〜Ｆを含む。本例では、波長多重光信号Ｓａ，Ｓｂの伝送路の途中の区間だけがＤＳＦ９１であり、他区間がＳＭＦ９０である場合を挙げる。互いに隣接するノードＡ〜Ｃ間及びノードＤ〜Ｆ間は一対のＳＭＦ９０により接続され、互いに隣接するノードＣ，Ｄ間は一対のＤＳＦ９１により接続されている。
【００５１】
ノードＡは、波長多重光信号Ｓａの送信ノードであり、波長多重光信号Ｓｂの受信ノードである。ノードＦは、波長多重光信号Ｓａの受信ノードであり、波長多重光信号Ｓｂの送信ノードである。ノードＡ，Ｆには多重分離装置１が設けられている。
【００５２】
また、ノードＢ〜Ｅは、波長多重光信号Ｓａ，Ｓｂの中継ノードである。ノードＢ，Ｅには、Ｃバンドに対応する増幅部２０を備えたインライン増幅器２が設けられている。また、ＤＳＦ９１の区間の上流側及び下流側のノードＣ，Ｄには、増幅部５１，５２及び波長変換器５０を備えたインライン増幅器５が設けられている。
【００５３】
ノードＡから送信された波長多重光信号Ｓａは、ノードＣの波長変換器５０により波長帯がＣバンドからＬバンドに変換される。このため、ノードＣ，Ｄ間のＤＳＦ９１には、Ｌバンドの波長多重光信号Ｓａが伝送される。Ｌバンドの波長多重光信号Ｓａは、ＤＳＦ９１を介してノードＤに入力され、波長変換器５０により波長帯がＬバンドからＣバンドに変換される。
【００５４】
このため、ノードＦには、元のＣバンドの波長多重光信号Ｓａが入力されるので、Ｌバンドではなく、Ｃバンドのトランスポンダ１０を設けることができる。また、反対方向の波長多重光信号Ｓｂも、ノードＤで波長帯がいったんＬバンドに変換された後、ノードＣでＣバンドに変換されるため、ノードＡには、元のＣバンドの波長多重光信号Ｓｂが入力されるので、Ｌバンドではなく、Ｃバンドのトランスポンダ１０を設けることができる。
【００５５】
符号Ｇ２は、ノードＡからノードＦに伝送される波長多重光信号Ｓａの位置に応じたパワー（ｄＢｍ）の変化の一例を示す。波長多重光信号Ｓａのパワーは、各増幅部２０，５１，５２により増加し、ＳＭＦ９０及びＤＳＦ９１を通過するたびに減少する。
【００５６】
ノードＣ，Ｄは、第１比較例とは異なり、光減衰器２１が不要であるため、ＤＳＦ９１に入力される波長多重光信号Ｓａのパワーが、第１比較例より高い値とすることができる（符号Ｄｄ参照）。このとき、ノードＣの波長変換器５０によるパワー損失は、その前段の増幅部５１と後段の増幅部５２のパワーの増幅量により補償される（符号Ｄｃ，Ｄｄ参照）。このため、雑音成分のパワーが低減される。
【００５７】
このため、ノードＤの増幅部５２に入力される波長多重光信号ＳａのパワーＰａは、第１比較例の場合のパワーＰｂより十分に高くなる（符号Ｄｅ参照）。したがって、ノードＤの増幅部５２は、波長多重光信号Ｓａのパワーを十分に増幅することができるため、第１比較例とは異なり、伝送が不可能となるおそれも、伝送距離が延びないおそれもない。なお、これは、反対方向の波長多重光信号Ｓｂについても同様である。
【００５８】
また、ノードＤの波長変換器５０によるパワー損失は、その前段の増幅部５１と後段の増幅部５２のパワーの増幅量により補償される（符号Ｄｆ，Ｄｇ参照）。このため、雑音成分のパワーが低減される。
【００５９】
図５は、インライン増幅器５の一例を示す構成図である。図５において、Ｃバンドの光信号の経路は実線で示され、Ｌバンドの光信号の経路は点線で示されている。また、太い実線は、電気信号の経路を示す。
【００６０】
インライン増幅器５は、Ｃバンドに対応する増幅部５１と、波長変換器５０と、Ｌバンドに対応する増幅部５２とを有する。なお、増幅部５１は第１増幅部の一例であり、増幅部５２は第２増幅部の一例である。
【００６１】
増幅部５１は、ＷＤＭカプラ５１０，５１１と、ＥＤＦＡ５１２，５１３と、制御信号送受信部５１４と、管理情報転送部５１５とを有する。ＷＤＭカプラ５１０は、Ｃバンドの波長多重光信号Ｓａ，Ｓｂから監視制御チャネルの光信号を分離して制御信号送受信部５１４に出力する。ＷＤＭカプラ５１０を通過した波長多重光信号Ｓａ，Ｓｂは、ＥＤＦＡ５１２により増幅されて波長変換器５０に出力される。
【００６２】
波長変換器５０は、波長変換部５０７，５０８と、管理情報変換部５０９とを有する。波長変換部５０７は、第１波長変換部の一例であり、波長多重光信号Ｓａ，Ｓｂの波長帯をＣバンドからＬバンドに変換する。Ｌバンドの波長多重光信号Ｓａ，Ｓｂは増幅部５２に入力される。
【００６３】
増幅部５２は、ＷＤＭカプラ５２０，５２１と、ＥＤＦＡ５２２，５２３と、制御信号送受信部５２４と、管理情報転送部５２５とを有する。ＥＤＦＡ５２２は、波長多重光信号Ｓａ，Ｓｂを増幅してＷＤＭカプラ５２０に出力する。ＷＤＭカプラ５２０は、波長多重光信号Ｓａ，Ｓｂに監視制御チャネルの光信号を合波して隣接ノードに導く。
【００６４】
ＷＤＭカプラ５２１は、Ｌバンドの波長多重光信号Ｓａ，Ｓｂから監視制御チャネルの光信号を分離して制御信号送受信部５２４に出力する。ＷＤＭカプラ５２０を通過した波長多重光信号Ｓａ，Ｓｂは、ＥＤＦＡ５１２により増幅されて波長変換器５０に出力される。
【００６５】
波長変換部５０８は、第２波長変換部の一例であり、波長多重光信号Ｓａ，Ｓｂの波長帯をＬバンドからＣバンドに変換する。Ｃバンドの波長多重光信号Ｓａ，Ｓｂは増幅部５１に入力される。なお、各波長変換部５０７，５０８は、例えば、図３の波長変換器５０の構成と同様の構成を有する。
【００６６】
ＥＤＦＡ５１３は、波長多重光信号Ｓａ，Ｓｂを増幅してＷＤＭカプラ５１１に出力する。ＷＤＭカプラ５１１は、波長多重光信号Ｓａ，Ｓｂに監視制御チャネルの光信号を合波して隣接ノードに導く。
【００６７】
制御信号送受信部５１４，５２４は、波長多重光信号Ｓａ，Ｓｂから分離された監視制御チャネルの光信号から波長多重光信号Ｓａ，Ｓｂの管理情報を抽出して、管理情報転送部５１５，５２５を介して制御信号送受信部５２４，５１４に転送する。制御信号送受信部５２４,５１４は、転送された管理情報から光信号を生成し、ＷＤＭカプラ５２１，５１１により波長多重光信号Ｓａ，Ｓｂに合波する。
【００６８】
なお、制御信号送受信部５１４，５２４は、例えばレーザダイオード、フォトディテクタ、及びＦＰＧＡ（Field Programmable Gate Array）などから構成される。また、管理情報転送部５１５，５２５と管理情報変換部５０９は、例えばＦＰＧＡなどから構成される。
【００６９】
管理情報転送部５１５，５２５は、管理情報を管理情報変換部５０９に出力する。管理情報変換部５０９は、予め設定されたＣバンドのチャネルとＬバンドのチャネルの対応関係に基づき、チャネルごとに管理情報を変換して管理情報転送部５１５，５２５に出力する。
【００７０】
図６は、波長多重光信号Ｓａ，Ｓｂの管理情報の変換の一例を示す図である。Ｃバンドチャネル番号はＣバンドのチャネルの識別番号であり、Ｌバンドチャネル番号はＬバンドのチャネルの識別番号である。また、使用情報は、該当チャネルが使用中及び未使用の何れであるかを示す。障害情報は、該当チャネルの光信号の障害の発生状態を示す。
【００７１】
Ｃバンドチャネル番号とＬバンドチャネル番号は互いの並び順が反対となる。つまり、Ｃバンドチャネル番号＃１〜＃８８はＬバンドチャネル番号＃８８〜＃１にそれぞれ対応する。
【００７２】
管理情報変換部５０９は、使用情報及び障害情報のチャネル番号をＣバンドチャネル番号とＬバンドチャネル番号の間で相互に変換する。管理情報変換部５０９は、例えばＣバンドの監視制御チャネルの光信号からＣバンドチャネル番号＃２の使用情報「使用中」及び障害情報「信号断」が抽出された場合、Ｃバンドチャネル番号＃２をＬバンドチャネル番号＃８７に変換する。
【００７３】
そして、管理情報変換部５０９は、Ｌバンドチャネル番号＃８７の使用情報「使用中」及び障害情報「信号断」を管理情報転送部５２５に出力する。この使用情報及び障害情報は、ＷＤＭカプラ５２０によりＬバンドの波長多重光信号Ｓａ，Ｓｂに合波される。
【００７４】
これにより、下流側のノードでは、Ｌバンドチャネル番号＃８７の使用情報「使用中」及び障害情報「信号断」に基づき、例えばＡＩＳ（Alarm Indication Signal）が検出され、障害の原因が特定される。
【００７５】
このように、波長多重光信号Ｓａの中継経路において、ＤＳＦ９１の上流側のノードＣは、波長多重光信号Ｓａの波長帯をＣバンドからＬバンドに変換する波長変換部５０７を有し、ＤＳＦ９１の下流側のノードＤは、波長多重光信号Ｓａの波長帯をＬバンドからＣバンドに変換する波長変換部５０８を有する。ここで、ノードＣは、波長多重光信号Ｓａの中継経路上で最も上流側のＤＳＦ９１により下流側の隣接ノードＤと接続された第１ノードの一例である。また、ノードＤは、波長多重光信号Ｓａの中継経路上で最も下流側のＤＳＦ９１により上流側の隣接ノードＣと接続された第２ノードの一例である。
【００７６】
この構成によると、ノードＣは、送信ノードＡからの波長多重光信号Ｓａの波長帯をＣバンドからＬバンドに変換するため、ＤＳＦ９１にはＬバンドの波長多重光信号Ｓａが正常に伝送される。また、ノードＤは、波長多重光信号Ｓａの波長帯をＬバンドからＣバンドに変換するため、受信ノードＦにはＣバンドの波長多重光信号Ｓａが入力される。したがって、送信ノードＡ及び受信ノードＦには、Ｃバンドに対応するトランスポンダ１０を設けることができる。
【００７７】
また、波長多重光信号Ｓｂの中継経路において、ＤＳＦ９１の上流側のノードＤは、波長多重光信号Ｓｂの波長帯をＣバンドからＬバンドに変換する波長変換部５０７を有し、ＤＳＦ９１の下流側のノードＣは、波長多重光信号Ｓｂの波長帯をＬバンドからＣバンドに変換する波長変換部５０８を有する。ここで、ノードＤは、波長多重光信号Ｓｂの中継経路上で最も上流側のＤＳＦ９１により下流側の隣接ノードＣと接続された第１ノードの一例である。また、ノードＣは、波長多重光信号Ｓｂの中継経路上で最も下流側のＤＳＦ９１により上流側の隣接ノードＤと接続された第２ノードの一例である。
【００７８】
この構成によると、上記と同様に、送信ノードＡ及び受信ノードＦには、Ｃバンドに対応するトランスポンダ１０を設けることができる。
【００７９】
したがって、本例によると、伝送システム全体の装置コストが低減される。
【００８０】
また、波長変換部５０７，５０８が設けられるノードＣ，Ｄは中継ノードであるため、本例のように、伝送路の途中の区間だけがＤＳＦ９１であり、他区間がＳＭＦ９０である場合に装置コストが低減される。
【００８１】
また、ノードＣ，Ｄは、それぞれ、Ｃバンドの波長多重光信号Ｓａ，Ｓｂを増幅する増幅部５１と、Ｌバンドの波長多重光信号Ｓａ，Ｓｂを増幅する増幅部５２とを有する。このため、波長変換器５０による波長多重光信号Ｓａ，Ｓｂのパワー損失が、増幅部５１及び増幅部５２のパワーの増幅量により補償される。
【００８２】
（第２実施例）
図７は、第２実施例の伝送システムを示す構成図である。図７において、図４と共通する構成には同一の符号を付し、その説明は省略する。
【００８３】
伝送システムは、一例として、直列に接続されたノードＡ〜Ｆを含む。本例では、ＤＳＦ９１の区間の間にＳＭＦ９０の区間が存在する場合を挙げる。互いに隣接するノードＡ，Ｂ間、ノードＣ，Ｄ間、及びノードＥ，Ｆ間は一対のＳＭＦ９０により接続され、互いに隣接するノードＢ，Ｃ間及びノードＤ，Ｅ間は一対のＤＳＦ９１により接続されている。
【００８４】
ノードＡは、波長多重光信号Ｓａの送信ノードであり、波長多重光信号Ｓｂの受信ノードである。ノードＦは、波長多重光信号Ｓａの受信ノードであり、波長多重光信号Ｓｂの送信ノードである。ノードＡ，Ｆには多重分離装置１が設けられている。
【００８５】
また、ノードＢ〜Ｅは、波長多重光信号Ｓａ，Ｓｂの中継ノードである。ノードＣ，Ｄには、Ｌバンドに対応する増幅部４０を備えたインライン増幅器４が設けられている。また、ノードＢ，Ｅには、増幅部５１，５２及び波長変換器５０を備えたインライン増幅器５が設けられている。
【００８６】
ノードＢは、波長多重光信号Ｓａの中継経路上で最も上流側のＤＳＦ９１により下流側の隣接ノードＣと接続された第１ノードの一例である。また、ノードＥは、波長多重光信号Ｓａの中継経路上で最も下流側のＤＳＦ９１により上流側の隣接ノードＤと接続された第２ノードの一例である。
【００８７】
ノードＡはＣバンドの波長多重光信号Ｓａを送信し、ノードＢは波長多重光信号の波長帯をＣバンドからＬバンドに変換する。Ｌバンドの波長多重光信号Ｓａは、ノードＣからＳＭＦ９０を介しノードＤに伝送される。ＳＭＦ９０は、その伝送特性において、Ｃバンドだけでなく、Ｌバンドの光にも適合するため、ノードＣ，Ｄ間では正常に波長多重光信号Ｓａが伝送される。
【００８８】
したがって、ノードＣ，Ｄには、波長変換器５０を備えるインライン増幅器５を設ける必要がなく、通常のインライン増幅器４が設けられている。このため、波長変換器５０による伝送特性の低下が抑制されるとともに、装置コストが低減される。
【００８９】
また、ノードＥは、波長多重光信号Ｓａの波長帯をＬバンドからＣバンドに変換するため、ノードＦには、Ｃバンドの波長多重光信号Ｓａが入力される。このため、ノードＦには、Ｃバンドに対応するトランスポンダ１０を設けることができる。また、反対方向の波長多重光信号Ｓｂの波長帯も、ノードＡに入力されるとき、同様の理由でＣバンドに変換されるため、ノードＡには、Ｃバンドに対応するトランスポンダ１０を設けることができる。
【００９０】
このように、波長多重光信号Ｓａ，Ｓｂの経路上、ノードＢ，Ｅの間には、ＳＭＦ９０により接続され、互いに隣接する一組の中継ノードＣ，Ｄが存在する。したがって、ＤＳＦ９１の区間の間に、ＳＭＦ９０の区間が存在する場合、そのＳＭＦ９０の区間にＣバンドの波長多重光信号Ｓａ，Ｓｂが伝送されるため、余分な波長変換器５０を省くことができ、装置コストが低減される。
【００９１】
（第３実施例）
図８は、第３実施例の伝送システムを示す構成図である。図８において、図４と共通する構成には同一の符号を付し、その説明は省略する。
【００９２】
伝送システムは、一例として、直列に接続されたノードＡ〜Ｄを含む。本例では、送信ノード及び受信ノードであるノードＡ，Ｄに、多重分離装置１に代えて、光クロスコネクト装置（ＯＸＣ）１ａが設けられている。また、中継ノードであるノードＢ，Ｃには、波長変換器５０を備えたインライン増幅器５が設けられている。
【００９３】
光クロスコネクト装置１ａは、Ｃバンドにそれぞれ対応するトランスポンダ１０、多重分離部１１、増幅部１２，１３、及び光クロスコネクト部１４，１５を有する。増幅部１３及び光クロスコネクト部１４は、ノードＢとは別の隣接ノードの方路に対応して設けられている。
【００９４】
増幅部１３は、その方路のＳＭＦ９０から入力されたＣバンドの波長多重光信号を増幅して光クロスコネクト部１４に出力する。光クロスコネクト部１４は、増幅部１３から入力された波長多重光信号Ｓｃ，Ｓｄを光クロスコネクト部１５に出力する。
【００９５】
また、光クロスコネクト部１４は、光クロスコネクト部１５から入力されたＣバンドの波長多重光信号Ｓｃ，Ｓｄを増幅部１３に出力する。増幅部１３は、波長多重光信号Ｓｃ，Ｓｄを増幅してＳＭＦ９０に出力する。
【００９６】
光クロスコネクト部１５は、波長多重光信号Ｓａ，Ｓｂから他の波長多重光信号Ｓｄ，Ｓｃを分離して光クロスコネクト部１４に出力する。また、光クロスコネクト部１５は、多重分離部１１から入力された波長多重光信号Ｓａ，Ｓｂに、光クロスコネクト部１４から入力された他の波長多重光信号Ｓｃ，Ｓｄを波長多重する。光クロスコネクト部１５から出力された波長多重光信号Ｓａ，Ｓｂは、増幅部１２により増幅されてＳＭＦ９０に出力される。なお、光クロスコネクト部１４，１５は、波長選択スイッチ及び光スプリッタなどから構成され、増幅部１２，１３は、ＥＤＦＡなどから構成される。
【００９７】
ノードＡ，Ｄから送信されたＣバンドの波長多重光信号Ｓａ，Ｓｂは、ノードＢ，Ｃでいったん波長帯をＬバンドに変換された後、ＤＳＦ９１を通過し、ノードＣ，Ｂで波長帯をＣバンドに変換され、ノードＤ，Ａで受信される。このため、本例でも、上記の実施例と同様の効果が得られる。
【００９８】
（第４実施例）
図９は、第４実施例の伝送システムを示す構成図である。図９において、図４と共通する構成には同一の符号を付し、その説明は省略する。
【００９９】
伝送システムは、一例として、直列に接続されたノードＡ〜Ｄを含む。互いに隣接するノードＢ，Ｃ間は一対のＳＭＦ９０により接続され、互いに隣接するノードＡ，Ｂ間及びノードＣ，Ｄ間は一対のＤＳＦ９１により接続されている。送信ノード及び受信ノードであるノードＡ，Ｄには、波長変換器１６を備えた多重分離装置１ｂが設けられ、中継ノードであるノードＢ，Ｃには、Ｌバンドに対応するインライン増幅器４が設けられている。
【０１００】
ノードＡは、波長多重光信号Ｓａの中継経路上で最も上流側のＤＳＦ９１により下流側の隣接ノードＢと接続された第１ノードの一例であり、ノードＢは、波長多重光信号Ｓｂの中継経路上で最も下流側のＤＳＦ９１により上流側の隣接ノードＣと接続された第２ノードの一例である。また、ノードＢは、波長多重光信号Ｓｂの中継経路上で最も上流側のＤＳＦ９１により下流側の隣接ノードＣと接続された第１ノードの一例であり、ノードＡは、波長多重光信号Ｓｂの中継経路上で最も下流側のＤＳＦ９１により上流側の隣接ノードＢと接続された第２ノードの一例である。
【０１０１】
ノードＡ，Ｂの多重分離装置１ｂは、Ｃバンドに対応するトランスポンダ１０、多重分離部１１ａ、及び増幅部１２と、波長変換器１６と、Ｌバンドに対応する増幅部１７とを有する。以下に詳細な構成を説明する。
【０１０２】
図１０は、多重分離装置１ｂの一例を示す構成図である。図１０において、Ｃバンドの光信号の経路は実線で示され、Ｌバンドの光信号の経路は点線で示されている。また、太い実線は、電気信号の経路を示す。
【０１０３】
多重分離部（Ｃ−ＭＵＸ／ＤＥＭＵＸ）１１ａは、光モニタ部１１０と、複数の光減衰器（VOA: Variable Optical Attenuator）１１１と、Ｃバンドに対応するアレイ導波路解析格子（Ｃ−ＡＷＧ）１１２，１１３と、管理情報生成部１１４とを有する。各トランスポンダ１０は、波長が相違する光信号を送信する。
【０１０４】
光モニタ部１１０には、各トランスポンダ１０から光信号が入力される。光モニタ部１１０は、各光信号の状態を監視して、監視結果の情報を管理情報生成部１１４に出力する。光モニタ部１１０は、例えばフォトディテクタなどから構成される。
【０１０５】
各光信号は、ＶＯＡ１１に入力されることにより減衰して適切なパワーとなる。アレイ導波路解析格子１１２は、各光信号を合波して波長多重光信号Ｓａ，Ｓｂを生成する。波長多重光信号Ｓａ，Ｓｂは増幅部１２に入力される。
【０１０６】
増幅部１２は、ＥＤＦＡ１２０，１２１と、管理情報転送部１２２とを有する。増幅部１２は、第１増幅部の一例であり、Ｃバンドの波長多重光信号Ｓａ，Ｓｂを増幅する。ＥＤＦＡ１２０は、多重分離部１１ａから入力された波長多重光信号Ｓａ，Ｓｂを増幅して波長変換器１６に出力する。
【０１０７】
波長変換器１６は、波長変換部１６０，１６１と、管理情報変換部１６２とを有する。波長変換部１６０は、第１波長変換部の一例であり、波長多重光信号Ｓａ，Ｓｂの波長帯をＣバンドからＬバンドに変換する。Ｌバンドの波長多重光信号Ｓａ，Ｓｂは増幅部１７に入力される。
【０１０８】
増幅部１７は、ＷＤＭカプラ１７２，１７３と、ＥＤＦＡ１７０，１７１と、制御信号送受信部１７５と、管理情報転送部１７４とを有する。増幅部１７は、第２増幅部の一例であり、Ｌバンドの波長多重光信号Ｓａ，Ｓｂを増幅する。ＥＤＦＡ１７０は、波長多重光信号Ｓａ，Ｓｂを増幅してＷＤＭカプラ１７２に出力する。ＷＤＭカプラ１７２は、波長多重光信号Ｓａ，Ｓｂに監視制御チャネルの光信号を合波して隣接ノードに導く。
【０１０９】
ＷＤＭカプラ１７３は、Ｌバンドの波長多重光信号Ｓａ，Ｓｂから監視制御チャネルの光信号を分離して制御信号送受信部１７５に出力する。ＷＤＭカプラ１７３を通過した波長多重光信号Ｓａ，Ｓｂは、ＥＤＦＡ１７１により増幅されて波長変換器１６に出力される。
【０１１０】
波長変換部１６１は、第２波長変換部の一例であり、波長多重光信号Ｓａ，Ｓｂの波長帯をＬバンドからＣバンドに変換する。Ｃバンドの波長多重光信号Ｓａ，Ｓｂは増幅部１２に入力される。なお、各波長変換部１６０，１６１は、例えば、図３の波長変換器５０の構成と同様の構成を有する。
【０１１１】
ＥＤＦＡ１２１は、Ｃバンドの波長多重光信号Ｓａ，Ｓｂを増幅して多重分離部１１ａに出力する。アレイ導波路解析格子１１３は、波長多重光信号Ｓａ，Ｓｂを波長ごとの光信号に分離して各トランスポンダ１０に出力する。各トランスポンダ１０は光信号を受信する。
【０１１２】
制御信号送受信部１７５は、波長多重光信号Ｓａ，Ｓｂから分離された監視制御チャネルの光信号から波長多重光信号Ｓａ，Ｓｂの管理情報を抽出して、管理情報転送部１７４を介して管理情報変換部１６２に転送する。管理情報変換部１６２は、上記の管理情報変換部５０９と同様の機能を有し、管理情報を変換して管理情報転送部１２２を介して管理情報生成部１１４に送信する。
【０１１３】
管理情報生成部１１４は、光モニタ部１１０の監視結果からＣバンドチャネルごとの管理情報を生成し、管理情報転送部１２２を介して管理情報変換部１６２に送信する。管理情報変換部１６２は、管理情報をＬバンドチャネルの管理情報に変換し、管理情報転送部１７４を介し制御信号送受信部１７５に転送する。制御信号送受信部１７５は、転送された管理情報から光信号を生成し、ＷＤＭカプラ１７２により波長多重光信号Ｓａ，Ｓｂに合波する。
【０１１４】
なお、制御信号送受信部１７５は、例えばレーザダイオード、フォトディテクタ、及びＦＰＧＡなどから構成される。また、管理情報生成部１１４、管理情報転送部１２２，１７４、及び管理情報変換部１６２は、例えばＦＰＧＡなどから構成される。
【０１１５】
再び図９を参照すると、波長多重光信号Ｓａは、送信ノードであるノードＡにおいて、波長変換器１６により波長帯がＣバンドからＬバンドに変換される。Ｌバンドの波長多重光信号Ｓａは、ＤＳＦ９１を介してノードＢに入力される。ノードＢのインライン増幅器４は、波長多重光信号Ｓｂを増幅してＳＭＦ９０に出力する。
【０１１６】
Ｌバンドの波長多重光信号Ｓａは、正常にＳＭＦ９０に伝送されるため、本例では、ノードＢ，Ｃには、波長変換器１６を備えたインライン増幅器５を設けていない。このため、コストが低減される。
【０１１７】
波長多重光信号Ｓａは、ＳＭＦ９０からノードＣに入力される。ノードＣのインライン増幅器４は、波長多重光信号Ｓａを増幅してＤＳＦ９１に出力する。波長多重光信号Ｓａは、ＤＳＦ９１からノードＤに入力される。
【０１１８】
ノードＤにおいて、波長多重光信号Ｓａの波長帯は、波長変換器１６によりＬバンドからＣバンドに変換される。このため、送信ノード及び受信ノードであるノードＡ，Ｄには、Ｃバンドに対応するトランスポンダ１０を設けることができる。なお、反対方向の波長多重光信号Ｓｂは、上記とは逆の手順でノードＤからノードＡに送信される。
【０１１９】
このように、本例では、波長変換器１６が、送信ノード及び受信ノードであるノードＡ，Ｄに設けられている。このため、送信ノード及び受信ノードがＤＳＦ９１により隣接ノードと接続されている場合でも、送信ノード及び受信ノードに、Ｃバンドに対応するトランスポンダ１０を設けることが可能となり、伝送システム全体の装置コストが低減される。
【０１２０】
また、波長多重光信号Ｓａ，Ｓｂの経路上、ノードＡ，Ｄの間には、ＳＭＦ９０により接続され、互いに隣接する一組の中継ノードＢ，Ｃが存在する。したがって、ＤＳＦ９１の区間の間に、ＳＭＦ９０の区間が存在する場合、そのＳＭＦ９０の区間にＣバンドの波長多重光信号Ｓａ，Ｓｂが伝送されるため、余分な波長変換器１６を省くことができ、装置コストが低減される。
【０１２１】
（第５実施例）
図１１は、第５実施例の伝送システムを示す構成図である。図１１において、図８及び図９と共通する構成には同一の符号を付し、その説明は省略する。
【０１２２】
伝送システムは、一例として、直列に接続されたノードＡ〜Ｄを含む。互いに隣接するノードＢ，Ｃ間は一対のＳＭＦ９０により接続され、互いに隣接するノードＡ，Ｂ間及びノードＣ，Ｄ間は一対のＤＳＦ９１により接続されている。
【０１２３】
第４実施例において、波長変換器１６は、多重分離装置１ｂに設けられているが、本例では光クロスコネクト装置１ｃに設けられている。光クロスコネクト装置１ｃは、送信ノード及び受信ノードであるノードＡ，Ｄに設けられ、Ｃバンドに対応するトランスポンダ１０、多重分離部１１、増幅部１２，１３、及び光クロスコネクト部１４，１５と、波長変換器１６と、Ｌバンドに対応する増幅部１７とを有する。以下に詳細な構成を説明する。
【０１２４】
図１２は、光クロスコネクト装置１ｃの一例を示す構成図である。図１２において、Ｃバンドの光信号の経路は実線で示され、Ｌバンドの光信号の経路は点線で示されている。また、太い実線は、電気信号の経路を示す。
【０１２５】
多重分離部（Ｃ−ＭＵＸ／ＤＥＭＵＸ）１１は、上記の多重分離部１１ａの構成のうち、アレイ導波路解析格子１１２，１１３だけを有する。アレイ導波路解析格子１１２から出力された波長多重光信号Ｓａ，Ｓｂは、光クロスコネクト部１５に入力される。また、光クロスコネクト部１５から出力された波長多重光信号Ｓａ，Ｓｂは、アレイ導波路解析格子１１３に入力される。
【０１２６】
増幅部１３はＥＤＦＡ１３０，１３１を有する。ＥＤＦＡ１３１は、他の方路からのＣバンドの波長多重光信号Ｓｃ，Ｓｄを増幅して光クロスコネクト部１４に出力する。光クロスコネクト部１４は、波長選択スイッチ（WSS: Wavelength Selective Switch）１４０と、光スプリッタ１４１とを有する。光スプリッタ１４１は、波長多重光信号Ｓｃ，Ｓｄを光クロスコネクト部１５に導く。
【０１２７】
光クロスコネクト部１５は、Ｃバンドに対応する波長選択スイッチ１５０、光スプリッタ１５１、ＷＤＭカプラ１５２，１５３、光モニタ部１５４と、管理情報生成部１５５とを有する。波長選択スイッチ１５０には、光スプリッタ１４１から波長多重光信号Ｓｃ，Ｓｄが入力され、アレイ導波路解析格子１１２から波長多重光信号Ｓａ，Ｓｂが入力される。
【０１２８】
波長選択スイッチ１５０は、第１の波長選択スイッチの一例であり、Ｃバンドの波長多重光信号Ｓａ，ＳｂにＣバンドの他の波長多重光信号Ｓｃ，Ｓｄを波長多重する。波長多重光信号Ｓａ，Ｓｂは波長選択スイッチ１５０からＷＤＭカプラ１５２に入力される。ＷＤＭカプラ１５２は、波長多重光信号Ｓａ，Ｓｂを分岐して光モニタ部１５４と増幅部１２に導く。波長多重光信号Ｓａ，Ｓｂは、増幅部１２から波長変換器１６及び増幅部１７を介してＤＳＦ９１に出力され、受信ノードで受信される。
【０１２９】
また、ＷＤＭカプラ１５３には、送信ノードから送信された波長多重光信号Ｓａ，Ｓｂが、増幅部１７、波長変換器１６、及び増幅部１２を介して入力される。ＷＤＭカプラ１５３は、波長多重光信号Ｓａ，Ｓｂを分岐して光モニタ部１５４と光スプリッタ１５１に導く。光スプリッタ１５１は、波長多重光信号Ｓａ，Ｓｂを分岐して光クロスコネクト部１４と多重分離部１１に導く。
【０１３０】
波長選択スイッチ１４０は、第１波長分離部の一例であり、光スプリッタ１５１から入力された波長多重光信号Ｓａ，Ｓｂから他の波長多重光信号Ｓｄ，Ｓｃを分離する。波長多重光信号Ｓｄ，ＳｃはＥＤＦＡ１３０により増幅されて該当方路に出力される。
【０１３１】
また、光モニタ部１５４は、波長選択スイッチ１５０から出力された波長多重光信号Ｓａ，Ｓｂ、及び光スプリッタ１５１に入力される波長多重光信号Ｓａ，Ｓｂの状態を監視し、監視結果の情報を管理情報生成部１５５に出力する。管理情報生成部１５５は、監視結果から波長多重光信号Ｓａ，Ｓｂの管理情報を生成して増幅部１２に出力する。なお、管理情報の処理については、上述したとおりである。光モニタ部１５４は、例えばフォトディテクタなどから構成され、管理情報生成部１５５は、例えばＦＰＧＡなどから構成される。
【０１３２】
本例において、波長変換器１６の波長変換部１６０，１６１は、他の波長多重光信号Ｓｃ，Ｓｄが波長多重された波長多重光信号Ｓａ，Ｓｂの波長帯を変換する。このため、送信ノード及び受信ノードであるノードＡ，Ｄに光クロスコネクト装置１ｃが設けられた場合に、送信ノード及び受信ノードがＤＳＦ９１により隣接ノードと接続されていても、ノードＡ，ＤにＣバンドに対応するトランスポンダ１０を設けることができる。したがって、伝送システム全体の装置コストが低減される。
【０１３３】
（第６実施例）
図１３は、第６実施例の伝送システムを示す構成図である。図１３において、図４及び図１１と共通する構成には同一の符号を付し、その説明は省略する。
【０１３４】
伝送システムは、一例として、直列的に接続されたノードＡ〜Ｅを含む。本例では、波長多重光信号Ｓａ，Ｓｂの伝送路が途中でＳＭＦ９０及びＤＳＦ９１の一方から他方に切り替わる場合を挙げる。互いに隣接するノードＡ〜Ｃ間は一対のＤＳＦ９１により接続され、互いに隣接するノードＣ〜Ｅ間は一対のＳＭＦ９０により接続されている。
【０１３５】
ノードＡには光クロスコネクト装置１ｃが設けられ、ノードＥには多重分離装置１が設けられている。また、ノードＢには、Ｌバンドに対応するインライン増幅器４が設けられ、ノードＤには、Ｃバンドに対応するインライン増幅器２が設けられ、ノードＣには、波長変換器５０を備えたインライン増幅器５が設けられている。
【０１３６】
波長多重光信号Ｓａは、ノードＡから送信され、ノードＢ〜Ｄにより中継されてノードＥで受信される。このため、波長多重光信号Ｓａについて、ノードＡは送信ノードであり、ノードＢ〜Ｄは中継ノードであり、ノードＥは受信ノードである。
【０１３７】
ノードＡは、波長多重光信号Ｓａの中継経路上で最も上流側のＤＳＦ９１により下流側の隣接ノードＢと接続された第１ノードの一例である。また、ノードＣは、波長多重光信号Ｓａの中継経路上で最も下流側のＤＳＦ９１により上流側の隣接ノードＢと接続された第２ノードの一例である。
【０１３８】
波長多重光信号Ｓａの波長帯は、送信ノードＡの波長変換器１６によりＣバンドからＬバンドに変換され、中継ノードＣの波長変換器５０によりＬバンドからＣバンドに変換される。このため、波長多重光信号Ｓａの波長帯は、ＤＳＦ９１の区間だけＬバンドとなり正常に伝送される。
【０１３９】
一方、波長多重光信号Ｓｂは、ノードＥから送信され、ノードＢ〜Ｄにより中継されてノードＡで受信される。このため、波長多重光信号Ｓｂについて、ノードＥは送信ノードであり、ノードＢ〜Ｄは中継ノードであり、ノードＡは受信ノードである。
【０１４０】
ノードＣは、波長多重光信号Ｓａの中継経路上で最も上流側のＤＳＦ９１により下流側の隣接ノードＢと接続された第１ノードの一例である。また、ノードＡは、波長多重光信号Ｓｂの中継経路上で最も下流側のＤＳＦ９１により上流側の隣接ノードＢと接続された第２ノードの一例である。
【０１４１】
波長多重光信号Ｓｂの波長帯は、中継ノードＣの波長変換器５０によりＣバンドからＬバンドに変換され、受信ノードＡの波長変換器１６によりＬバンドからＣバンドに変換される。このため、波長多重光信号Ｓｂの波長帯は、ＤＳＦ９１の区間だけＬバンドとなり正常に伝送される。
【０１４２】
このように、送信ノードまたは受信ノードであるノードＡと、中継ノードであるノードＣとは、波長変換器１６，５０が設けられている。このため、ノードＡ及びノードＥに、Ｃバンドに対応するトランスポンダ１０を設けることができる。したがって、波長多重光信号Ｓａ，Ｓｂの伝送路が途中でＳＭＦ９０及びＤＳＦ９１の一方から他方に切り替わる場合において、伝送システム全体の装置コストが低減される。なお、本例において、ノードＡには光クロスコネクト装置１ｃが設けられているが、これに代えて多重分離装置１ｂが設けられてもよい。
【０１４３】
（第７実施例）
図１４は、第７実施例の伝送システムを示す構成図である。図１４において、図１１と共通する構成には同一の符号を付し、その説明は省略する。
【０１４４】
本例の伝送システムは、第５実施例のノードＤに設けられたＣバンド対応の光クロスコネクト装置１ｃを、Ｌバンド対応の光クロスコネクト装置１ｄに置き換えたものである。光クロスコネクト装置１ｄは、Ｃバンドに対応するトランスポンダ１０、多重分離部１１、及び増幅部１２ａと、波長変換器１６ａと、Ｌバンドに対応する光クロスコネクト部１９ａ，１９ｂ及び増幅部１７，１７ａ，１８とを有する。以下に詳細な構成を説明する。
【０１４５】
図１５は、光クロスコネクト装置１ｄの他の例を示す構成図である。図１５において、Ｃバンドの光信号の経路は実線で示され、Ｌバンドの光信号の経路は点線で示されている。また、太い実線は、電気信号の経路を示す。
【０１４６】
増幅部１８はＥＤＦＡ１８０，１８１を有する。ＥＤＦＡ１８１は、他の方路からのＬバンドの波長多重光信号Ｓｃを増幅して光クロスコネクト部１９ａに出力する。光クロスコネクト部１９ａは、波長選択スイッチ１９０と、光スプリッタ１９１とを有する。光スプリッタ１９１は、波長多重光信号Ｓｃを光クロスコネクト部１９ｂに導く。
【０１４７】
光クロスコネクト部１９ｂは、Ｌバンドに対応する波長選択スイッチ１９２、光スプリッタ１９３、ＷＤＭカプラ１９４，１９５、光モニタ部１９６と、管理情報生成部１９７とを有する。波長選択スイッチ１９２には、光スプリッタ１９１から波長多重光信号Ｓｃが入力される。
【０１４８】
また、多重分離部１１から出力された波長多重光信号Ｓｂは、Ｃバンドに対応する増幅部１２ａに入力される。増幅部１２ａはＥＤＦＡ１２３を有する。ＥＤＦＡ１２３は、波長多重光信号Ｓａを増幅して波長変換器１６ａに出力する。
【０１４９】
波長変換器１６ａは、波長変換部１６０，１６１を有する。波長変換部１６０は、波長多重光信号Ｓｂの波長帯をＣバンドからＬバンドに変換する。Ｌバンドの波長多重光信号Ｓｂは、波長選択スイッチ１９２に入力される。
【０１５０】
波長選択スイッチ１９２は、波長多重光信号Ｓｂに他の波長多重光信号Ｓｃを波長多重する。波長多重光信号Ｓｂは波長選択スイッチ１９２からＷＤＭカプラ１９４に入力される。ＷＤＭカプラ１９４は、波長多重光信号Ｓｂを分岐して光モニタ部１９６と増幅部１７に導く。波長多重光信号Ｓｂは、増幅部１７からＤＳＦ９１に出力され、受信ノードで受信される。
【０１５１】
また、ＷＤＭカプラ１９５には、送信ノードから送信された波長多重光信号Ｓａが、増幅部１７を介して入力される。ＷＤＭカプラ１９５は、波長多重光信号Ｓａを分岐して光モニタ部１９６と光スプリッタ１９３に導く。光スプリッタ１９３は、波長多重光信号Ｓａを分岐して光クロスコネクト部１９ａと、Ｌバンドに対応する増幅部１７ａとに導く。
【０１５２】
増幅部１７ａはＥＤＦＡ１７６を有する。ＥＤＦＡ１７６は、波長多重光信号Ｓａを増幅して波長変換器１６ａに出力する。波長多重光信号Ｓａの波長帯は波長変換部１６１によりＬバンドからＣバンドに変換される。Ｃバンドの波長多重光信号Ｓａは多重分離部１１に入力される。
【０１５３】
波長選択スイッチ１９０は、光スプリッタ１９３から入力された波長多重光信号Ｓａから他の波長多重光信号Ｓｄを分離する。波長多重光信号ＳｄはＥＤＦＡ１８０により増幅されて該当方路に出力される。
【０１５４】
また、光モニタ部１９６は、波長選択スイッチ１９２から出力された波長多重光信号Ｓｂ、及び光スプリッタ１９３に入力される波長多重光信号Ｓａの状態を監視し、監視結果の情報を管理情報生成部１９７に出力する。管理情報生成部１９７は、監視結果から波長多重光信号Ｓａ，Ｓｂの管理情報を生成して増幅部１７に出力する。なお、管理情報の処理については、上述したとおりである。光モニタ部１９６は、例えばフォトディテクタなどから構成され、管理情報生成部１９７は、例えばＦＰＧＡなどから構成される。
【０１５５】
本例において、波長変換器１６ａにおいて、波長変換部１６０は、他の波長多重光信号Ｓｃが波長多重される前に波長多重光信号Ｓｂの波長帯を変換し、波長変換部１６１は、他の波長多重光信号Ｓｄが分離された後の波長多重光信号Ｓａの波長帯を変換する。このため、Ｌバンドに対応する光クロスコネクト装置１ｄが設けられたノードＤに、Ｃバンドに対応するトランスポンダ１０を設けることができる。したがって、伝送システム全体の装置コストが低減される。
【０１５６】
（第８実施例）
図１６は、第８実施例の伝送システムを示す構成図である。図１６において、図３及び図１４と共通する構成には同一の符号を付し、その説明は省略する。
【０１５７】
第７実施例では、ノードＤには、Ｌバンドに対応する光クロスコネクト装置１ｄが設けられ、ノードＡには、Ｃバンドに対応する光クロスコネクト装置１ｃが設けられている。これに対し、本例では、ノードＡ，Ｄの両方に、Ｌバンドに対応する光クロスコネクト装置１ｅが設けられている。
【０１５８】
このような伝送システムとしては、例えば、Ｌバンドに対応する伝送システムに、Ｃバンドの光回線を増設するため、Ｃバンドに対応する光伝送機器を追加したものが挙げられる。より具体的には、光クロスコネクト装置１ｅは、上記の光クロスコネクト装置１ｄの構成に加えて、Ｌバンドの光回線を提供するためのトランスポンダ３０及び多重分離部３１が設けられている。多重分離部３１は光スプリッタ１９３に接続される。
【０１５９】
この構成に、トランスポンダ１０、多重分離部１１、増幅部１２ａ，１７ａ、及び波長変換器１６ａを追加することにより（点線の丸参照）、第７実施例と同様に、Ｃバンドの波長多重光信号Ｓａ，Ｓｂの伝送が可能となる。これにより、Ｌバンドに対応する伝送システムにおいて、Ｃバンドの光回線を提供することが可能となる。
【０１６０】
図１５を参照して述べたように、波長選択スイッチ１９２は、波長変換部１６０により波長帯が変換された波長多重光信号Ｓｂに、Ｌバンドの他の波長多重光信号Ｓｃを波長多重する。また、波長選択スイッチ１９０は、波長多重光信号Ｓｂから他の波長多重光信号Ｓｄを分離し、波長変換部１６１は、他の波長多重光信号Ｓｄが分離された波長多重光信号Ｓｂの波長帯を変換する。
【０１６１】
本例では、上記の構成が、ノードＤだけでなくノードＡにも設けられている。ノードＡでは、反対方向の波長多重光信号Ｓａと他の波長多重光信号Ｓｄについて上記と同様の処理が行われる。なお、波長選択スイッチ１９２は第２の波長選択スイッチの一例であり、波長選択スイッチ１９０は第２波長分離部の一例である。また、増幅部１２ａは第１増幅部の一例であり、増幅部１７ａは第２増幅部の一例である。
【０１６２】
上記の構成によると、Ｌバンドに対応する光クロスコネクト装置１ｅが設けられたノードＡ，Ｄに、Ｃバンドに対応するトランスポンダ１０を設けることができる。したがって、伝送システム全体の装置コストが低減される。
【０１６３】
（第９実施例）
図１７及び図１８は、第９実施例の伝送システムを示す構成図である。図１７及び図１８において、図８及び図１６と共通する構成には同一の符号を付し、その説明は省略する。
【０１６４】
本例の伝送システムは、第３実施例の伝送システムの中継ノードＢ，Ｃに、インライン増幅器５に代えて、Ｌバンド及びＣバンドの光回線を個別に収容した光クロスコネクト装置１ｆが設けられたものである。なお、送信ノード及び受信ノードであるノードＡ，Ｄには、Ｃバンドに対応する光クロスコネクト装置１ａが設けられている。
【０１６５】
光クロスコネクト装置１ｆは、Ｃバンドに対応する構成として、トランスポンダ１０、多重分離部１１、光クロスコネクト部１５、及び増幅部１２を有し、Ｌバンドに対応する構成として、トランスポンダ３０、多重分離部３１、光クロスコネクト部１９ｂ、及び増幅部１７を有する。
【０１６６】
ノードＢでは、上記の構成のみを備える場合、Ｃバンドの波長多重光信号は、トランスポンダ１０、多重分離部１１、光クロスコネクト部１５、及び増幅部１２によりノードＡとの間で送受信される。また、Ｌバンドの波長多重光信号は、トランスポンダ３０、多重分離部３１、光クロスコネクト部１９ｂ、及び増幅部１７によりノードＣとの間で送受信される。したがって、ノードＢは、Ｃバンド及びＬバンドの光回線を個別の方路で送受信することしかできない。これは、ノードＣにおいても同様である。
【０１６７】
そこで、本例では、Ｌバンドの光クロスコネクト部１９ｂとＣバンドの光クロスコネクト部１５の間に、波長変換器１６ａ及び増幅部１２ａ，１７ａが追加されている（「追加」参照）。
【０１６８】
これにより、ノードＢは、ノードＡから入力されたＣバンドの波長多重光信号ＳａをＬバンドに変換して、ノードＣに中継することができ、ノードＣから入力されたＬバンドの波長多重光信号ＳｂをＬバンドに変換して、ノードＡに中継することができる。また、ノードＣは、ノードＤから入力されたＣバンドの波長多重光信号ＳｂをＬバンドに変換して、ノードＢに中継することができ、ノードＢから入力されたＬバンドの波長多重光信号ＳａをＣバンドに変換して、ノードＤに中継することができる。
【０１６９】
これにより、ノードＡ，Ｄの間で波長多重光信号Ｓａ，Ｓｂを伝送させることができるので、ノードＡ，Ｄに設けられたＣバンドのトランスポンダ１０を用いて光回線を提供することが可能となる。
【０１７０】
このように、光ファイバの種類が相違する複数の方路との間で個別に波長多重光信号が送受信される場合、波長変換器１６ａ及び増幅部１２ａ，１７ａの追加により波長多重光信号の波長帯を変換することで、波長帯の制限によらずに柔軟に光回線を設定することができる。
【０１７１】
図１９は、光クロスコネクト装置１ｇの他の例を示す構成図である。図１９において、図１７及び図１８と共通する構成には同一の符号を付し、その説明は省略する。なお、図１９において、Ｃバンドの光信号の経路は実線で示され、Ｌバンドの光信号の経路は点線で示されている。
【０１７２】
光クロスコネクト装置１ｇは、一例として、４つの方路＃１〜＃４との間で波長多重光信号をそれぞれ送受信する４つの送受信部７１〜７４を有する。方路＃１，＃２はＤＳＦ９１により構成され、方路＃３，＃４はＳＭＦ９０により構成されている。
【０１７３】
送受信部７１，７２は、Ｌバンドに対応する光クロスコネクト部１９ｂ及び増幅部１７を有する。増幅部１７は、ＤＳＦ９１から入力された波長多重光信号を増幅して光クロスコネクト部１９ｂに出力する。また、増幅部１７は、光クロスコネクト部１９ｂから入力された波長多重光信号を増幅してＤＳＦ９１に出力する。
【０１７４】
送受信部７３，７４は、Ｃバンドに対応する光クロスコネクト部１５及び増幅部１２を有する。増幅部１２は、ＳＭＦ９０から入力された波長多重光信号を増幅して光クロスコネクト部１５に出力する。また、増幅部１２は、光クロスコネクト部１５から入力された波長多重光信号を増幅してＳＭＦ９０に出力する。
【０１７５】
ＤＳＦ９１の方路＃１，＃２の送受信部７１，７２の間では、光クロスコネクト部１９ｂ同士が直接的に接続されている。これにより、方路＃１と方路＃２の間でＣバンドの波長多重光信号が中継される。
【０１７６】
また、ＳＭＦ９０の方路＃３，＃４の送受信部７３，７４の間では、光クロスコネクト部１５同士が直接的に接続されている。これにより、方路＃３と方路＃４の間でＬバンドの波長多重光信号が中継される。
【０１７７】
一方、光ファイバの種類が相違する方路＃１〜＃４の送受信部７１〜７４の間は、波長変換器１６ａ及び増幅部１２ａ，１７ａを介して接続されている。より具体的には、Ｌバンドに対応する光クロスコネクト部１９ｂと、Ｃバンドに対応する光クロスコネクト部１５は、波長変換器１６ａ及び増幅部１２ａ，１７ａを介して接続されている。
【０１７８】
このため、光クロスコネクト部１９ｂから出力された波長多重光信号は、増幅部１７ａにより増幅され、波長変換器１６ａにより波長帯がＬバンドからＣバンドに変換されて光クロスコネクト部１５に入力される。また、光クロスコネクト部１５から出力された波長多重光信号は、増幅部１２ａにより増幅され、波長変換器１６ａにより波長帯がＣバンドからＬバンドに変換されて光クロスコネクト部１９ｂに入力される。
【０１７９】
したがって、光クロスコネクト装置１ｇは、光ファイバの種類が相違する方路＃１〜＃４の間で波長多重光信号を中継することができる。
【０１８０】
なお、上記の各実施例において、第２波長帯としてＬバンドを挙げたが、これに限定されず、第２波長帯として、例えばＳバンドが用いられてもよい。また、実施例の伝送方法は、上記の各実施例の伝送システムにより実行される。
【０１８１】
上述した実施形態は本発明の好適な実施の例である。但し、これに限定されるものではなく、本発明の要旨を逸脱しない範囲内において種々変形実施可能である。
【０１８２】
なお、以上の説明に関して更に以下の付記を開示する。
（付記１）  各隣接ノード間が、第１波長帯の光に適合する第１の種類の光ファイバ、または、第２波長帯の光に適合する第２の種類の光ファイバにより接続された複数のノードを有し、
前記複数のノードは、複数の光信号を波長多重することにより前記第１波長帯の波長多重光信号を生成して送信する送信ノードと、前記波長多重光信号から前記複数の光信号を分離して受信する受信ノードと、前記送信ノードから前記第１の種類または前記第２の種類の光ファイバを介して前記受信ノードまで前記波長多重光信号を中継する１以上の中継ノードとを含み、
前記複数のノードのうち、前記波長多重光信号の中継経路上で最も上流側の前記第２の種類の前記光ファイバにより下流側の隣接ノードと接続された第１ノードは、前記波長多重光信号の波長帯を前記第１波長帯から第２波長帯に変換する第１波長変換部を有し、
前記複数のノードのうち、前記波長多重光信号の中継経路上で最も下流側の前記第２の種類の前記光ファイバにより上流側の隣接ノードと接続された第２ノードは、前記波長多重光信号の波長帯を前記第２波長帯から前記第１波長帯に変換する第２波長変換部を有することを特徴とする伝送システム。
（付記２）  前記第１ノード及び前記第２ノードは、それぞれ、前記１以上の中継ノードであることを特徴とする付記１に記載の伝送システム。
（付記３）  前記第１ノードは、前記送信ノードであり、
前記第２ノードは、前記１以上の中継ノードの１つであることを特徴とする付記１に記載の伝送システム。
（付記４）  前記第１ノードは、前記１以上の中継ノードの１つであり、
前記第２ノードは、前記受信ノードであることを特徴とする付記１に記載の伝送システム。
（付記５）  前記第１ノードは、前記送信ノードであり、
前記第２ノードは、前記受信ノードであることを特徴とする付記１に記載の伝送システム。
（付記６）  前記第１ノードは、前記第１波長帯の前記波長多重光信号に前記第１波長帯の他の波長多重光信号を波長多重する第１の波長選択スイッチを有し、
前記第１波長変換部及び前記第２波長変換部は、前記他の波長多重光信号が波長多重された前記波長多重光信号の波長帯を変換し、
前記第２ノードは、前記波長多重光信号から前記他の波長多重光信号を分離する第１波長分離部を有することを特徴とする付記５に記載の伝送システム。
（付記７）  前記第１ノードは、前記第１波長変換部により波長帯が変換された前記波長多重光信号に、前記第２波長帯の他の波長多重光信号を波長多重する第２の波長選択スイッチを有し、
前記第２ノードは、前記波長多重光信号から前記他の波長多重光信号を分離する第２波長分離部を有し、
前記第２波長変換部は、前記他の波長多重光信号が分離された前記波長多重光信号の波長帯を変換することを特徴とする付記５に記載の伝送システム。
（付記８）  前記第１の種類の光ファイバは、前記第１波長帯の光及び前記第２波長帯の光に適合し、
前記波長多重光信号の経路上、前記第１ノードと前記第２ノードの間には、前記第１の種類の光ファイバにより接続され、互いに隣接する一組の中継ノードが存在することを特徴とする付記２乃至７の何れかに記載の伝送システム。
（付記９）  前記第１ノード及び前記第２ノードは、それぞれ、前記第１波長帯の前記波長多重光信号を増幅する第１増幅部と、前記第２波長帯の前記波長多重光信号を増幅する第２増幅部とを有することを特徴とする付記１乃至８の何れかに記載の伝送システム。
（付記１０）  各隣接ノード間が、第１波長帯の光に適合する第１の種類の光ファイバ、または、第２波長帯の光に適合する第２の種類の光ファイバにより接続された複数のノードを用い、
前記複数のノードは、複数の光信号を波長多重することにより前記第１波長帯の波長多重光信号を生成して送信する送信ノードと、前記波長多重光信号から前記複数の光信号を分離して受信する受信ノードと、前記送信ノードから前記第１の種類または前記第２の種類の光ファイバを介して前記受信ノードまで前記波長多重光信号を中継する１以上の中継ノードとを含み、
前記複数のノードのうち、前記波長多重光信号の中継経路上で最も上流側の前記第２の種類の前記光ファイバにより下流側の隣接ノードと接続された第１ノードは、前記波長多重光信号の波長帯を前記第１波長帯から第２波長帯に変換し、
前記複数のノードのうち、前記波長多重光信号の中継経路上で最も下流側の前記第２の種類の前記光ファイバにより上流側の隣接ノードと接続された第２ノードは、前記波長多重光信号の波長帯を前記第２波長帯から前記第１波長帯に変換することを特徴とする伝送方法。
（付記１１）  前記第１ノード及び前記第２ノードは、それぞれ、前記１以上の中継ノードであることを特徴とする付記１０に記載の伝送方法。
（付記１２）  前記第１ノードは、前記送信ノードであり、
前記第２ノードは、前記１以上の中継ノードの１つであることを特徴とする付記１０に記載の伝送方法。
（付記１３）  前記第１ノードは、前記１以上の中継ノードの１つであり、
前記第２ノードは、前記受信ノードであることを特徴とする付記１０に記載の伝送方法。
（付記１４）  前記第１ノードは、前記送信ノードであり、
前記第２ノードは、前記受信ノードであることを特徴とする付記１０に記載の伝送方法。
（付記１５）  前記第１ノードは、前記第１波長帯の前記波長多重光信号に前記第１波長帯の他の波長多重光信号を波長多重し、前記他の波長多重光信号が波長多重された前記波長多重光信号の波長帯を前記第１波長帯から前記第２波長帯に変換し、
前記第２ノードは、前記波長多重光信号から前記他の波長多重光信号を分離することを特徴とする付記１４に記載の伝送方法。
（付記１６）  前記第１ノードは、波長帯が前記第２波長帯に変換された前記波長多重光信号に、前記第２波長帯の他の波長多重光信号を波長多重し、
前記第２ノードは、前記波長多重光信号から前記他の波長多重光信号を分離し、前記他の波長多重光信号が分離された前記波長多重光信号の波長帯を前記第２波長帯から前記第１波長帯に変換することを特徴とする付記１４に記載の伝送方法。
（付記１７）  前記第１の種類の光ファイバは、前記第１波長帯の光及び前記第２波長帯の光に適合し、
前記波長多重光信号の経路上、前記第１ノードと前記第２ノードの間には、前記第１の種類の光ファイバにより接続され、互いに隣接する一組の中継ノードが存在することを特徴とする付記１１乃至１６の何れかに記載の伝送方法。
（付記１８）  前記第１ノード及び前記第２ノードは、それぞれ、前記第１波長帯の前記波長多重光信号を増幅し、前記第２波長帯の前記波長多重光信号を増幅することを特徴とする付記１０乃至１７の何れかに記載の伝送方法。
【符号の説明】
【０１８３】
１２，１２ａ，１７，１７ａ，５１，５２   増幅部
９０        ＳＭＦ
９１        ＤＳＦ
１６０，１６１，５０７，５０８    波長変換部
１４０，１５０，１９０，１９２    波長選択スイッチ
Ａ〜Ｇ       ノード
【図１】
2019075654.tif 000003
【図２】
2019075654.tif 000004
【図３】
2019075654.tif 000005
【図４】
2019075654.tif 000006
【図５】
2019075654.tif 000007
【図６】
2019075654.tif 000008
【図７】
2019075654.tif 000009
【図８】
2019075654.tif 000010
【図９】
2019075654.tif 000011
【図１０】
2019075654.tif 000012
【図１１】
2019075654.tif 000013
【図１２】
2019075654.tif 000014
【図１３】
2019075654.tif 000015
【図１４】
2019075654.tif 000016
【図１５】
2019075654.tif 000017
【図１６】
2019075654.tif 000018
【図１７】
2019075654.tif 000019
【図１８】
2019075654.tif 000020
【図１９】
2019075654.tif 000021